(57)【要約】【課題】本発明は、滑りにくく、地面等に接触させた場合の衝撃吸収性に優れ、杖先部分が石畳み等の隙間には嵌り込むこともなく、更に、接地面に傾きがあってもその傾きの影響を抑制することが可能で、高齢者等の歩行安定性を確保でき、リハビリテーション用としても好適な新規な杖先を提供するものである。【解決手段】本発明の杖先１は、中心部４から外方に向かって放射分散形状とした五葉の花びら状の脚片３を有し、中心部４及び各脚片３に弾性作用を発揮する弾性構造部５を備えた杖先本体２と、弾性構造部５の中心部に設けたボルト挿通孔７と、このボルト挿通孔７に挿通し弾性構造部５の中心部から突出させたボルト６とから構成したものである。【選択図】図３
2013048880.tif 000002
【特許請求の範囲】
【請求項１】
中心部から外方に向かって放射分散形状とした複数の脚片を有し、前記中心部及び各脚片に弾性作用を発揮する弾性構造部を備えた杖先本体と、
前記杖先本体の中心部に設けたこの杖先本体を杖本体の先端部に対して着脱可能とするための取り付け部と、
を有することを特徴とする杖先。
【請求項２】
中心部から外方に向かって放射分散形状とした複数葉の花びら状、複数脚のヒトデ状又は複数足の鳥足状のなかから選定される形状の複数の脚片を有し、前記中心部及び各脚片に弾性作用を発揮する弾性構造部を備えた杖先本体と、
前記杖先本体の中心部に設けたこの杖先本体を杖本体の先端部に対して着脱可能とするための取り付け部と、
を有することを特徴とする杖先。
【請求項３】
中心部から外方に向かって放射分散形状とした五葉の花びら状、五脚若しくは六脚のヒトデ状又は五足の偏在した鳥足状のなかから選定される形状の複数の脚片を有し、前記中心部及び各脚片に弾性作用を発揮する弾性構造部を備えた杖先本体と、
前記杖先本体の中心部に設けたこの杖先本体を杖本体の先端部に対して着脱可能とするための取り付け部と、
を有することを特徴とする杖先。
【請求項４】
中心部から外方に向かって放射分散形状で、かつ、同一長さの五脚の長脚片と当該長脚片の長さよりも短く形成してなる一脚の短脚片を具備した六脚形態の脚片を有し、前記中心部及び各脚片に弾性作用を発揮する弾性構造部を備えた杖先本体と、
前記杖先本体の中心部に設けたこの杖先本体を杖本体の先端部に対して着脱可能とするための取り付け部と、
を有することを特徴とする杖先。
【請求項５】
前記弾性構造部は、上部側から接地面と接触させる下部側に向かって、順に、ウレタン樹脂からなる被覆層で覆われた板状の木材と、板状のグラスカーボンと、板状のゴム材と、板状で接地面と接する下端面に凹凸部を設けた滑り止めゴム材との積層構造からなることを特徴とする請求項１乃至４のいずれかに記載の杖先。
【請求項６】
中心部から外方に向かって放射分散形状で、かつ、同一長さの五脚の長脚片と当該長脚片の長さよりも短く形成してなる一脚の短脚片を具備した六脚形態の脚片形状、或いは中心部から外方に向かって放射分散形状とした五葉の花びら状、五脚若しくは六脚のヒトデ状又は五足の偏在した鳥足状のなかから選定される形状の複数の脚片を有し、前記中心部及び各脚片に弾性作用を発揮する弾性構造部を備えた杖先本体と、
前記弾性構造部の中心部に設けたボルト挿通孔と、このボルト挿通孔に挿通し前記弾性構造部の中心部から突出させたボルトとからなる取り付け部と、
を有することを特徴とする杖先。
【請求項７】
前記杖先本体は、平盤形態又は杖先本体のほぼ中心部分を頂部として逆傘状の形態からなることを特徴とする請求項１乃至６のいずれかに記載の杖先。
【請求項８】
前記弾性構造部は、上部側から接地面と接触させる下部側に向かって、順に、ウレタン樹脂からなる被覆層で覆われた板状の木材と、板状のグラスカーボンと、板状のゴム材と、板状で接地面と接する下端面に凹凸部を設けた滑り止めゴム材との積層構造からなり、前記取り付け部は、前記板状のゴム材、板状のグラスカーボン、板状の木材の中心部を貫通させたボルト挿通孔と、前記ボルト挿通孔に固着状態で挿通され、前記弾性構造部の中心部からネジ部を突出させて前記杖本体の先端部に内装した受けねじ部に対するねじ込み又はねじ込み解除により杖先本体を着脱可能とするためのボルトとを有することを特徴とする請求項１乃至７のいずれかに記載の杖先。
【請求項９】
杖本体と、
中心部から外方に向かって放射分散形状とした複数の脚片を有し、前記中心部及び各脚片に弾性作用を発揮する弾性構造部を備えるとともに、この弾性構造部の中心部に前記杖本体の先端部に着脱可能に連結するための取り付け部を設けた杖先本体と、
を有することを特徴とする杖。
【請求項１０】
杖本体と、
中心部から外方に向かって放射分散形状とした複数葉の花びら状、複数脚のヒトデ状又は複数足の鳥足状のなかから選定される形状の複数の脚片を有し、前記中心部及び各脚片に弾性作用を発揮する弾性構造部を備えるとともに、この弾性構造部の中心部に前記杖本体の先端部に着脱可能に連結するための取り付け部を設けた杖先本体と、
を有することを特徴とする杖。
【請求項１１】
一本杖形態、多脚杖形態、ロフストランド杖形態、折り畳み杖形態又は松葉杖形態のうちのいずれかの形態からなる杖本体と、
中心部から外方に向かって放射分散形状とした五葉の花びら状、五脚若しくは六脚のヒトデ状又は五足の偏在した鳥足状のなかから選定される形状の複数の脚片を有し、前記中心部及び各脚片に弾性作用を発揮する弾性構造部を備えるとともに、この弾性構造部の中心部に前記杖本体の先端部に着脱可能に連結するための取り付け部を設けた杖先本体と、
を有することを特徴とする杖。
【請求項１２】
一本杖形態、多脚杖形態、ロフストランド杖形態、折り畳み杖形態又は松葉杖形態のうちのいずれかの形態からなる杖本体と、
中心部から外方に向かって放射分散形状で、かつ、同一長さの五脚の長脚片と当該長脚片の長さよりも短く形成してなる一脚の短脚片を具備した六脚形態の脚片を有し、前記中心部及び各脚片に弾性作用を発揮する弾性構造部を備えるとともに、この弾性構造部の中心部に前記杖本体の先端部に着脱可能に連結するための取り付け部を設けた杖先本体と、
を有することを特徴とする杖。
【請求項１３】
前記弾性構造部は、上部側から接地面と接触させる下部側に向かって、順に、ウレタン樹脂からなる被覆層で覆われた板状の木材及び板状のグラスカーボンと、板状のゴム材と、板状で接地面と接する下端面に凹凸部を設けた滑り止めゴム材との積層構造からなることを特徴とする請求項９乃至１２のいずれかに記載の杖。
【請求項１４】
前記杖先本体は、平盤形態又は杖先本体のほぼ中心部分を頂部として逆傘状の形態からなることを特徴とする請求項９乃至１２のいずれかに記載の杖先。
【請求項１５】
一本杖形態、多脚杖形態、ロフストランド杖形態、折り畳み杖形態又は松葉杖形態のいずれかのうちのの形態からなる杖本体と、
中心部から外方に向かって放射分散形状で、かつ、同一長さの五脚の長脚片と当該長脚片の長さよりも短く形成してなる一脚の短脚片を具備した六脚形態の脚片形状、或いは中心部から外方に向かって放射分散形状とした五葉の花びら状、五脚若しくは六脚のヒトデ状又は五足の偏在した鳥足状のなかから選定される形状の複数の脚片を有し、前記中心部及び各脚片に弾性作用を発揮する弾性構造部を備えるとともに、前記弾性構造部の中心部に設けたボルト挿通孔と、このボルト挿通孔に挿通し前記弾性構造部の中心部から突出させたボルトとからなる取り付け部と、
を有することを特徴とする杖。
【請求項１６】
前記弾性構造部は、上部側から接地面と接触させる下部側に向かって、順に、ウレタン樹脂からなる被覆層で覆われた板状の木材及び板状のグラスカーボンと、板状のゴム材と、板状で接地面と接する下端面に凹凸部を設けた滑り止めゴム材との積層構造からなり、前記取り付け部は、前記板状のゴム材、板状のグラスカーボン及び板状の木材の中心部を貫通させたボルト挿通孔にボルトを固着状態で挿通させ、前記弾性構造部の中心部からネジ部を突出させて前記杖本体の先端部に内装した受けねじ部に対するねじ込み又はねじ込み解除により杖先本体を着脱可能とするためのボルトを備えることを特徴とする請求項９乃至１５のいずれかに記載の杖。
【請求項１７】
杖本体の先端部装着用の山形状の杖装着筒部と、
この杖装着筒部の下部に、前記杖装着筒部が一方に偏った配置となるように一体に設けられるとともに、外周部に分散配置に複数の脚片群を突出させ、底面全体を平坦とした接地体部と、
前記複数の脚片群の内少なくとも前記杖装着筒部が一方に偏った側に位置する脚片の底面に設けた滑り止め用の凹溝と、
を有することを特徴とする杖先。
【請求項１８】
杖本体の先端部装着用の山形状の杖装着筒部と、
底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の側方に突出させた側部脚片及び杖装着筒部の前部側で斜め前方突出させた斜脚片からなる分散配置の脚片群を具備し、底面全体を平坦とした接地体部と、
前記後部脚片、側部脚片及び斜脚片の各底面に設けた滑り止め用の凹溝と、
を有することを特徴とする杖先。
【請求項１９】
杖本体の先端部装着用の山形状の杖装着筒部と、
底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の両側方に突出させた２個の側部脚片及び杖装着筒部の前部側で斜め左前方、右前方に突出させた２個の斜脚片からなる分散配置の５個の脚片群を具備し、脚片群の全体形状を各脚片が偏在したヒトデ状又は各脚片が偏在した鳥足状のような形状とし、底面全体を平坦とした接地体部と、
前記後部脚片、側部脚片及び斜脚片の各底面に設けた滑り止め用の凹溝と、
前記接地体部の底面から内方に向けて設けた吸盤機能を発揮する凹陥部と、
を有することを特徴とする杖先。
【請求項２０】
前記杖先を構成する杖装着筒部、接地体部は、単一層のゴム材構造、ウレタン樹脂からなる被覆層で覆われた例えば集成材からなる板状の木材、板状のグラスカーボンと、板状の高圧ゴムからなるゴム材等の積層構造又はゴム材とゴム材以外の他材との積層構造からなることを特徴とする請求項１７乃至１９のいずれかに記載の杖先。
【請求項２１】
杖本体と、
前記杖本体の先端部が装着される山形状の杖装着筒部と、
この杖装着筒部の下部に、前記杖装着筒部が一方に偏った配置となるように一体に設けられるとともに、外周部に分散配置に複数の脚片群を突出させ、底面全体を平坦とした接地体部と、
前記複数の脚片群の内少なくとも前記杖装着筒部が一方に偏った側に位置する脚片の底面に設けた滑り止め用の凹溝と、
を有することを特徴とする杖。
【請求項２２】
杖本体と、
前記杖本体の先端部が装着される山形状の杖装着筒部と、
底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の側方に突出させた側部脚片及び杖装着筒部の前部側で斜め前方突出させた斜脚片からなる分散配置の脚片群を具備し、底面全体を平坦とした接地体部と、
前記後部脚片、側部脚片及び斜脚片の各底面に設けた滑り止め用の凹溝と、
を有することを特徴とする杖。
【請求項２３】
杖本体と、
前記杖本体の先端部が装着される山形状の杖装着筒部と、
底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の両側方に突出させた２個の側部脚片及び杖装着筒部の前部側で斜め左前方、右前方に突出させた２個の斜脚片からなる分散配置の５個の脚片群を具備し、脚片群の全体形状を各脚片が偏在したヒトデ状又は各脚片が偏在した鳥足状のような形状とし、底面全体を平坦とした接地体部と、
前記後部脚片、側部脚片及び斜脚片の各底面に設けた滑り止め用の凹溝と、
前記接地体部の底面から内方に向けて設けた吸盤機能を発揮する凹陥部と、
を有することを特徴とする杖。
【請求項２４】
前記杖先を構成する杖装着筒部、接地体部は、単一層のゴム材構造、ウレタン樹脂からなる被覆層で覆われた例えば集成材からなる板状の木材、板状のグラスカーボンと、板状の高圧ゴムからなるゴム材等の積層構造又はゴム材とゴム材以外の他材との積層構造からなることを特徴とする請求項２１乃至２３のいずれかに記載の杖。
【請求項２５】
前記杖を構成する杖本体は、一本杖形態、多脚杖形態、ロフストランド杖形態、折り畳み杖形態又は松葉杖形態のうちのいずれかの形態から選ばれることを特徴とする請求項２１乃至２４のいずれかに記載の杖。
【発明の詳細な説明】
【技術分野】
【０００１】
本発明は、滑りにくく、地面等に接触させた場合の衝撃吸収性に優れ、杖先部分が石畳み等の隙間には嵌り込むこともなく、更に、接地面に傾きがあってもその傾きの影響を抑制することが可能で、高齢者等の歩行安定性を確保でき、リハビリテーション用としても好適な杖先及び杖に関するものである。
【背景技術】
【０００２】
一般に、足腰が衰えた高齢者や腕の力、握力が弱い高齢者、更には歩行障害者、リハビリテーション患者等は、歩行する際に歩行補助のために各種構造の内から選定した杖を使用する。
歩行補助のために杖を用いることで、高齢者等は歩行時において足腰にかかる負担を軽減することができ、かつ、歩行の際の身体バランスもとり易くなる。
【０００３】
そして、この種の杖としては、例えば、アルミニウム等々の軽合金製の一本杖（Ｔ字杖）、多脚杖（四点杖）、ロフストランド杖（Ｆ字杖）、松葉杖（腋窩支持クラッチ）等が使用されている。
【０００４】
構造的には、例えば、棒状の杖本体の下端部に配置する杖先の部分にゴム材等からなる弾性部材（先ゴム）を取り付け、この弾性部材を地面に接触させ衝撃を緩衝させるようにしたものが一般的である。
【０００５】
しかしながら、このような構造を有する杖の場合、杖先を構成する弾性部材が通常小径又は小サイズであるため、杖先を支点として棒状の杖本体の上部を握った手首部分からモーメーント力を作用させつつ歩行する際に、腕力や握力の弱い高齢者等の場合、雨天時等のような道路条件の悪いときにはどうしても滑りやすく、また、杖先が例えば石畳構造の路面の隙間に挟まってしまったりして、歩行の安定性に欠けるという諸問題を包含している。
【０００６】
このような歩行不安定性の問題を解消するために、病院等においては、例えば下半身麻痺、下肢切断、肩麻痺等の症状がある歩行者のために四点杖、ロフストランド杖等による歩行を実行させるようにしている。
【０００７】
しかし、例えば四点杖の場合、四つの接地脚の下端部分に弾性部材が取り付けられていることから、四点杖全体を地面に対して真上に持ち上げ、そのまま下降させて四つの接地脚を地面に接触させつつ歩行動作をおこなわなければ歩行安定性を得ることは難しく、腕力や握力の弱い高齢者等にとっては極めて使用しづらく、不便であるという問題を包含している。
【０００８】
特許文献１には、金属板等のある程度剛性を有する平板材と、その下面側に貼着したゴム等からなるクッション兼用の滑り止め部材と、平板材の中央部から上方へ突出形成した軸部材とを具備する石突き（杖先）を備え、前記軸部材を自在継ぎ手、コイルスプリング、カバー筒体を用いて杖本体を構成するフィットピースの下端に連結した構成からなる杖が提案されている。
しかし、特許文献１の杖における石突きの場合、石突きを構成する平板材は、フットピースの断面積よりも広い適当な面積を有するものの、その形状も通常の円板状のもので歩行安定性も必ずしも十分ではないと推定され、杖本体を構成するフィットピースの下端に対する石突きの着脱構造も複雑で着脱容易ではなく、更にはリハビリテーション時の石突き交換使用の点を配慮したものではないと推定される。
【先行技術文献】
【特許文献】
【０００９】
【特許文献１】登録実用新案第３１３１８７４号公報
【発明の概要】
【発明が解決しようとする課題】
【００１０】
本発明が解決しようとする問題点は、滑りにくく、地面等に接触させた場合の衝撃吸収性に優れ、杖先部分が石畳み等の隙間には嵌り込むこともなく、更に、接地面に傾きがあってもその傾きの影響を抑制することが可能で、高齢者等の歩行安定性を確保できるとともに、使用者の腕力や握力等の体力の程度に応じて杖先をその体力の程度に応じて随時取り換えることが簡略であり、更には、滑り止め機能、吸盤機能をも発揮し、高齢者等の歩行安定性をより高めることもでき、高齢者或いはリハビリテーション用としても好適であるような杖先及び杖が存在しない点である。
【課題を解決するための手段】
【００１１】
本発明に係る杖先は、中心部から外方に向かって放射分散形状とした複数の脚片を有し、前記中心部及び各脚片に弾性作用を発揮する弾性構造部を備えた杖先本体と、前記杖先本体の中心部に設けたこの杖先本体を杖本体の先端部に対して着脱可能とするための取り付け部と、を有することを最も主要な特徴とする。
【発明の効果】
【００１２】
請求項１乃至４記載の発明によれば、滑りにくく、地面等に接触させた場合の衝撃吸収性に優れ、杖先部分が石畳み等の隙間には嵌り込むこともなく、更に、接地面に傾きがあってもその傾きの影響を抑制することが可能で高齢者等の歩行安定性を確保できるとともに、使用者の腕力や握力等の体力の程度に応じて杖先をその体力の程度に応じて随時取り換えることが簡略でリハビリテーション用としても好適な新規な杖を構成できる新規な杖先を実現し提供することができる。
【００１３】
請求項５記載の発明によれば、上部側から接地面と接触させる下部側に向かって、順に、ウレタン樹脂からなる被覆層で覆われた板状の木材と、板状のグラスカーボンと、板状のゴム材と、板状で接地面と接する下端面に凹凸部を設けた滑り止めゴム材との積層構造としたことによって、請求項１乃至４のいずれかに記載の発明の新規な杖先の効果を発揮させることができる弾性構造部を実現し提供することができる。
【００１４】
請求項６記載の発明によれば、中心部から外方に向かって放射分散形状で、かつ、同一長さの五脚の長脚片と当該長脚片の長さよりも短く形成してなる一脚の短脚片を具備した六脚形態の脚片形状、或いは中心部から外方に向かって放射分散形状とした五葉の花びら状、五脚若しくは六脚のヒトデ状又は五足の偏在した鳥足状のなかから選定される形状の複数の脚片を有し、前記中心部及び各脚片に弾性作用を発揮する弾性構造部を備えた杖先本体と、前記弾性構造部の中心部に設けたボルト挿通孔と、このボルト挿通孔に挿通し前記弾性構造部の中心部から突出させたボルトとからなる取り付け部と、を有する構成により、滑りにくく、地面等に接触させた場合の衝撃吸収性に優れ、杖先部分が石畳み等の隙間には嵌り込むこともなく、更に、接地面に傾きがあってもその傾きの影響を抑制することが可能で高齢者等の歩行安定性を確保できるとともに、使用者の腕力や握力等の体力の程度に応じて杖先をその体力の程度に応じて随時取り換えることが簡略でリハビリテーション用としても好適な杖を構成できる新規な杖先を実現し提供することができる。
【００１５】
請求項７記載の発明によれば、前記杖先本体を、平盤形態又は杖先本体のほぼ中心部分を頂部として逆傘状の形態から構成しつつ請求項１乃至６のいずれかに記載の発明の新規な杖先の効果を発揮させることができる弾性構造部を実現し提供することができる。
【００１６】
請求項８記載の発明によれば、上部側から接地面と接触させる下部側に向かって、順に、ウレタン樹脂からなる被覆層で覆われた板状の木材と、板状のグラスカーボンと、板状のゴム材と、板状で接地面と接する下端面に凹凸部を設けた滑り止めゴム材との積層構造からなり、前記取り付け部は、前記板状のゴム材、板状のグラスカーボン、板状の木材の中心部を貫通させたボルト挿通孔と、前記ボルト挿通孔に固着状態で挿通され、前記弾性構造部の中心部からネジ部を突出させて前記杖本体の先端部に内装した受けねじ部に対するねじ込み又はねじ込み解除により杖先本体を着脱可能とするためのボルトとを有する構成によって、請求項１乃至７のいずれかに記載の発明の新規な杖先の効果を発揮させることができる弾性構造部を実現し提供することができる。
【００１７】
請求項９乃至１２記載の発明によれば、請求項１乃至４記載の新規な杖先を用いて、滑りにくく、地面等に接触させた場合の衝撃吸収性に優れ、杖先部分が石畳み等の隙間には嵌り込むこともなく、更に、接地面に傾きがあってもその傾きの影響を抑制することが可能で高齢者等の歩行安定性を確保できるとともに、使用者の腕力や握力等の体力の程度に応じて杖先をその体力の程度に応じて随時取り換えることが簡略でリハビリテーション用としても好適な新規な杖を実現し提供することができる。
【００１８】
請求項１３記載の発明によれば、上部側から接地面と接触させる下部側に向かって、順に、ウレタン樹脂からなる被覆層で覆われた板状の木材と、板状のグラスカーボンと、板状のゴム材と、板状で接地面と接する下端面に凹凸部を設けた滑り止めゴム材との積層構造としたことによって、請求項９乃至１２のいずれかに記載の発明の新規な杖を構成する新規な杖先の効果を発揮させることができる弾性構造部を実現し提供することができる。
【００１９】
請求項１４記載の発明によれば、前記杖先本体を、平盤形態又は杖先本体のほぼ中心部分を頂部として逆傘状の形態から構成しつつ請求項９乃至１２のいずれかに記載の発明の新規な杖先の効果を発揮させることができる弾性構造部を実現し提供することができる。
【００２０】
請求項１５記載の発明によれば、請求項６記載の発明の新規な杖先を用いて、滑りにくく、地面等に接触させた場合の衝撃吸収性に優れ、杖先部分が石畳み等の隙間には嵌り込むこともなく、更に、接地面に傾きがあってもその傾きの影響を抑制することが可能で高齢者等の歩行安定性を確保できるとともに、使用者の腕力や握力等の体力の程度に応じて杖先をその体力の程度に応じて随時取り換えることが簡略でリハビリテーション用としても好適な新規な杖を実現し提供することができる。
【００２１】
請求項１６記載の発明によれば、上部側から接地面と接触させる下部側に向かって、順に、ウレタン樹脂からなる被覆層で覆われた板状の木材及び板状のグラスカーボンと、板状のゴム材と、板状で接地面と接する下端面に凹凸部を設けた滑り止めゴム材との積層構造からなり、前記取り付け部は、前記板状のゴム材、板状のグラスカーボン及び板状の木材の中心部を貫通させたボルト挿通孔にボルトを固着状態で挿通させ、前記弾性構造部の中心部からネジ部を突出させて前記杖本体の先端部に内装した受けねじ部に対するねじ込み又はねじ込み解除により杖先本体を着脱可能とするためのボルトを備える構造としたことによって、請求項９乃至１５のいずれかに記載の発明の杖を構成する新規な杖先の効果を発揮させることができる弾性構造部を実現し提供することができる。
【００２２】
請求項１７記載の発明によれば、この杖先を装着した杖を使用する場合において、この杖先は、外周部に分散配置に複数の脚片群を突出させ、底面全体を平坦とした接地体部を有し、複数の脚片群の内少なくとも前記杖装着筒部が一方に偏った側に位置する脚片の底面に滑り止め用の凹溝を設けた構成としているので、接地体部の底面全体が接地面と接触するとともに、少なくとも一つの脚片に設けた凹溝により滑り止め効果を発揮させることができ、使用者が高齢者のような場合でも歩行安定性の確保に寄与する新規な杖先を実現し提供することができる。
【００２３】
請求項１８記載の発明によれば、この杖先を装着した杖を使用する場合において、この杖先は外周部に分散配置に複数の脚片群を突出させ、底面全体を平坦とした接地体部を有し、複数の脚片群を外周部に靴のかかと部分に相当する後部側に突出させた後部脚片、杖装着筒部の側方に突出させた側部脚片及び杖装着筒部の前部側で斜め前方突出させた斜脚片からなる分散配置とし、各後部脚片、側部脚片及び斜脚片の各底面に設けた滑り止め用の凹溝を設けた構成としているので、接地体部の底面全体が接地面と接触するとともに、上述した脚片群に設けた各凹溝により杖先底面全域にわたって滑り止め効果を発揮させることができ、使用者が高齢者のような場合でもより高い歩行安定性の確保に寄与する新規な杖先を実現し提供することができる。
【００２４】
請求項１９記載の発明によれば、請求項１８記載の発明の構成に加えて、接地体部の底面から内方に向けて設けた吸盤機能を発揮する凹陥部を備えているので、請求項１８記載の発明と同様な効果を奏するとともに、接地面が平滑な面であるような場合、凹陥部の周囲の底面が平滑な接地面に密接したとき、凹陥部により吸盤と同様な機能を発揮させることができ、これにより、使用者の歩行安定性をより高めることができる新規な杖先を実現し提供することができる。
【００２５】
請求項２０記載の発明によれば、前記杖先を構成する杖装着筒部、接地体部は、単一層のゴム材構造、ウレタン樹脂からなる被覆層で覆われた例えば集成材からなる板状の木材、板状のグラスカーボンと、板状の高圧ゴムからなるゴム材等の積層構造又はゴム材とゴム材以外の他材との積層構造としているので、接地面との接触時の衝撃を吸収し良好な使用感の基に請求項１７乃至１９のいずれかに記載の発明の杖を構成する新規な杖先の効果を発揮させることができる弾性構造を実現し提供することができる。
【００２６】
請求項２１記載の発明によれば、杖本体と、前記杖本体の先端部が装着される山形状の杖装着筒部と、この杖装着筒部の下部に、前記杖装着筒部が一方に偏った配置となるように一体に設けられるとともに、外周部に分散配置に複数の脚片群を突出させ、底面全体を平坦とした接地体部と、前記複数の脚片群の内少なくとも前記杖装着筒部が一方に偏った側に位置する脚片の底面に設けた滑り止め用の凹溝と、を有する構成として、接地体部の底面全体が接地面と接触するとともに、少なくとも一つの脚片に設けた凹溝により滑り止め効果を発揮させることができ、使用者が高齢者のような場合でも歩行安定性の確保に寄与する新規な杖を実現し提供することができる。
【００２７】
請求項２２記載の発明によれば、杖本体と、前記杖本体の先端部が装着される山形状の杖装着筒部と、底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の側方に突出させた側部脚片及び杖装着筒部の前部側で斜め前方突出させた斜脚片からなる分散配置の脚片群を具備し、底面全体を平坦とした接地体部と、前記後部脚片、側部脚片及び斜脚片の各底面に設けた滑り止め用の凹溝と、を有する構成として、接地体部の底面全体が接地面と接触するとともに、上述した脚片群に設けた各凹溝により杖先底面全域にわたって滑り止め効果を発揮させることができ、使用者が高齢者のような場合でもより高い歩行安定性の確保に寄与する新規な杖を実現し提供することができる。
【００２８】
請求項２３記載の発明によれば、杖本体と、前記杖本体の先端部が装着される山形状の杖装着筒部と、底面全体を平坦とした略靴型形状を呈し、前記杖装着筒部が靴のかかと部分に相当する後部側に偏った配置となるように一体に設けられるとともに、外周部に靴のかかと部分に相当する後部側に突出させた後部脚片、杖装着筒部の両側方に突出させた２個の側部脚片及び杖装着筒部の前部側で斜め左前方、右前方に突出させた２個の斜脚片からなる分散配置の５個の脚片群を具備し、脚片群の全体形状を各脚片が偏在したヒトデ状又は各脚片が偏在した鳥足状のような形状とし、底面全体を平坦とした接地体部と、前記後部脚片、側部脚片及び斜脚片の各底面に設けた滑り止め用の凹溝と、前記接地体部の底面から内方に向けて設けた吸盤機能を発揮する凹陥部と、を有する構成として、請求項２２記載の発明と同様な効果を奏するとともに、接地面が平滑な面であるような場合、凹陥部の周囲の底面が平滑な接地面に密接したとき、凹陥部により吸盤と同様な機能を発揮させることができ、これにより、使用者の歩行安定性をより高めることができる新規な杖を実現し提供することができる。
【００２９】
請求項２４記載の発明によれば、杖先を構成する杖装着筒部、接地体部は、単一層のゴム材構造、ウレタン樹脂からなる被覆層で覆われた例えば集成材からなる板状の木材、板状のグラスカーボンと、板状の高圧ゴムからなるゴム材等の積層構造又はゴム材とゴム材以外の他材との積層構造としているので、この杖先を装着した杖を使用する場合において、接地面との接触時の衝撃を吸収し良好な使用感の基に請求項２１乃至２３のいずれかに記載の発明における杖先の効果を発揮させることができる弾性構造を実現し提供することができる。
【００３０】
請求項２５記載の発明によれば、前記杖本体は、一本杖形態、多脚杖形態、ロフストランド杖形態、折り畳み杖形態又は松葉杖形態のうちのいずれかの形態から選ばれる構成としているので、使用者が選択するいずれかの形態の杖において、請求項２１乃至２３のいずれかに記載の発明の場合と同様な効果を発揮する新規な杖を実現し提供することができる。
【図面の簡単な説明】
【００３１】
【図１】本発明の実施例１に係る杖先を取り付けた杖を示す概略正面図である。
【図２】本実施例１に係る杖先の概略拡大正面図である。
【図３】本実施例１に係る杖先及び杖を示す概略拡大部分断面図である。
【図４】本実施例１に係る杖先の概略拡大平面図である。
【図５】本実施例１に係る杖先の変形例の概略拡大平面図である。
【図６】本発明の実施例２に係る杖先の概略拡大平面図である。
【図７】本実施例２に係る杖先の最大外形寸法を１００ｍｍとした場合の概略拡大平面図である。
【図８】本実施例２に係る杖先の最大外形寸法を１４０ｍｍとした場合の概略拡大平面図である。
【図９】本実施例２に係る杖先の最大外形寸法を１８０ｍｍとした場合の概略拡大平面図である。
【図１０】本実施例２に係る杖先の変形例の概略拡大平面図である。
【図１１】本発明の実施例３に係る杖先の概略拡大平面図である。
【図１２】本発明の実施例４に係る杖先の概略拡大平面図である。
【図１３】本発明の実施例５に係る杖先の概略拡大正面図である。
【図１４】本発明の実施例５に係る杖先の概略拡大平面図である。
【図１５】本発明の実施例５に係る杖先の概略拡大底面図である。
【図１６】本発明の実施例５に係る杖先を取り付けた杖を示す概略正面図である。
【発明を実施するための形態】
【００３２】
本発明は、滑りにくく、地面等に接触させた場合の衝撃吸収性に優れ、杖先部分が石畳み等の隙間には嵌り込むこともなく、更に、接地面に傾きがあってもその傾きの影響を抑制することが可能で高齢者等の歩行安定性を確保できるとともに、使用者の腕力や握力等の体力の程度に応じて杖先をその体力の程度に応じて随時取り換えることが簡略でリハビリテーション用としても好適な杖を構成できる杖先を提供するという目的を、中心部から外方に向かって放射分散形状で、かつ、同一長さの五脚の長脚片と当該長脚片の長さよりも短く形成してなる一脚の短脚片を具備した六脚形態の脚片形状、或いは中心部から外方に向かって放射分散形状とした五葉の花びら状、五脚若しくは六脚のヒトデ状又は四足の鳥足状のなかから選定される形状の複数の脚片を有し、前記中心部及び各脚片に弾性作用を発揮する弾性構造部を備えた杖先本体と、前記弾性構造部の中心部に設けたボルト挿通孔と、このボルト挿通孔に挿通し前記弾性構造部の中心部から突出させたボルトとからなる構成により実現した。
【実施例】
【００３３】
以下、本発明の実施例に係る杖先及び杖について、図面を参照して詳細に説明する。
【００３４】
（実施例１）
【００３５】
まず、図１乃至図４を参照して、本実施例１に係る新規な杖先１及び杖５１について説明する。
【００３６】
図１は、本実施例１に係る杖先１を、例えばＴ字杖のような一本杖形態の杖５１を構成する杖本体５２に取り付けた例を示すものである。
【００３７】
前記杖先１を取り付けた状態の杖５１の全長は、例えば７００〜８００ｍｍの例を挙げることができる。
【００３８】
本実施例１に係る杖先１は、図２乃至図４に示すように、中心部４から外方に向かって放射分散形状とした五葉の花びら状の脚片３を有し、前記中心部４及び各脚片３に弾性作用を発揮する弾性構造部５を備えた全体として例えば平盤形態で、かつ、従来の杖の杖先よりも広面積の杖先本体２を具備している。
図２、図３に示す実施例では、杖先本体２の全体をほぼ平盤形態とした例を示して説明しているが、本発明においては、当該杖先本体２の形態は平盤形態に限定するものではなく、この他、例えば杖先本体２のほぼ中心部分を頂部として逆傘状とした形態として実施しても良い。また、杖先本体２の中心部分を例えば外観視富士山形状のような上方に至るほど小さくなる山形状を呈する形態とすることもできる。
【００３９】
また、前記杖先本体２は、この杖先本体２を、杖本体５２の先端部５２ａに対してボルト６のねじ込み又はねじ込み解除により着脱可能とするためのボルト６、ボルト挿通孔７を含む取り付け部８を有している。
なお、杖先本体２と杖本体５２の先端部５２ａとの着脱構造は、本発明においては、図示例の他、杖本体５２の先端部５２ａにボルト部分を形成とし、杖先本体２内に当該ボルト部分のねじ込み又はねじ込み解除可能となるようなボルト挿通孔を設けて、杖先本体２と杖本体５２とを着脱可能に構成して実施するようにしても良い。
【００４０】
前記弾性構造部５は、図３において、例えば、上部側から接地面と接触させる下部側に向かって、順に、ウレタン樹脂からなる被覆層１１で覆われた例えば集成材からなる板状の木材１２、板状のグラスカーボン１３と、板状の高圧ゴムからなるゴム材１４と、板状で接地面と接する下端面に凹凸部１６を設けた高圧ゴムからなる滑り止めゴム材１５との積層構造により構成している。
前記弾性構造部５は、図示例に限定するものではなく、本発明においては、図示例の他、例えば単一層のゴム材構造、或いはゴム材とゴム材以外の他材との積層構造等々として実施しても良い。
【００４１】
そして、前記ボルト挿通孔７は、前記ゴム材１４、グラスカーボン１３、木材１２の各中心部を貫通する状態で穿設している。
【００４２】
本実施例に係る杖先１の前記弾性構造部５各部の寸法の一例について説明すると、前記被覆層１１の厚さ１ｍｍ、木材１２の厚さ６．５ｍｍ、グラスカーボン１３の厚さ１．５ｍｍ、ゴム材１４の厚さ３ｍｍ、滑り止めゴム材１５の厚さ３ｍｍ等の例を挙げることができる。
また、前記弾性構造部５を平面視したときの最大外形寸法約１００ｍｍの例を挙げることができる。
【００４３】
前記取り付け部８を構成するボルト挿通孔７は、前記板状のゴム材１４、板状のグラスカーボン１３及び板状の木材１２の中心部を貫通して設けることにより構成している。
【００４４】
前記杖５１は、杖本体５２の上端部に使用者が手で握るための握り部５３を備えるとともに、杖本体５２を構成する例えばステンレス材を用いた円筒状の柄部５４を具備し、前記杖本体５２の先端部５２ａの内部に受けねじ体６１を内装している。
【００４５】
前記受けねじ体６１は、柄部５４内に嵌着した筒体６２と、この筒体６２内に同心配置で固着したナット６３とを具備している。
【００４６】
本実施例１に係る新規な杖５１は、上述した構成の杖先１を、Ｔ字杖のような一本杖形態の杖本体５２の先端部５２ａにボルト６を用いて着脱可能に取り付けている。
【００４７】
すなわち、図３に示すように、前記弾性構造部５の中心部に設けたボルト挿通孔７の上下両側に各々平ワッシャー９、９を介在させつつボルト６をボルト挿通孔７に挿入し、このボルト６を前記杖本体５２の先端部５２ａの内部に設けた受けねじ体６１のナット６３にねじ込むことで、杖先１を前記杖本体５２の先端部５２ａに一体的に取り付けるようにしている。
【００４８】
また、ボルト６を緩め離脱させることで、杖先１を前記杖本体５２の先端部５２ａから離脱させるようにしている。
【００４９】
この場合、前記ボルト６をボルト挿通孔７に固着状態で挿通させ、図２に例示するように、前記弾性構造部５の中心部からボルト６のねじ部６ａを上方に突出させる構造として、前記杖本体５２の先端部に内装した受けねじ体６１のナット６３に対するねじ部６ａのねじ込み又はねじ込み解除により杖先本体２を前記杖本体５２に対して着脱可能とすることが好ましい。
【００５０】
次に、本実施例１に係る新規な杖先１及び杖５１の作用、効果について説明する。
【００５１】
本実施例１に係る杖先１を例えば前記杖５１を構成する杖本体５２に取り付けた状態で使用者が前記握り部５３を片手で握り、杖先１の滑り止めゴム材１５の下面を接地面に接触させたり離したりして歩行するとき、前記弾性構造部５が下端面に凹凸部１６を設けた滑り止めゴム材１５及びゴム材１４を備えていることから、雨天の路面等の悪条件でも滑りにくく、杖先１を地面等に接触させた場合の衝撃吸収性に優れ、また、杖先１の部分が従来例に比べ広面積を有するので、この杖先１が石畳み等の隙間には嵌り込むこともなく、高齢者のような使用者の歩行安定性を確実に確保できる。
【００５２】
また、前記杖先１を地面等の接地面に接触させた際に、この接地面が傾いている場合においても、放射分散形状で弾性作用を発揮する五葉の花びら状の脚片３を備えていることから、各脚片３の滑り止めゴム材１５、ゴム材１４の個別的な弾性変形によりその傾きの影響を抑制することが可能となり、歩行者の歩行姿勢が大きく乱されることもなく、この点からの高齢者のような使用者の歩行安定性を確実に確保できる。
【００５３】
すなわち、本実施例１によれば、滑りにくく、地面等に接触させた場合の衝撃吸収性に優れ、杖先１の部分が石畳み等の隙間には嵌り込むこともなく、更に、接地面に傾きがあってもその傾きの影響を抑制することが可能となり、高齢者のような使用者の歩行安定性を十分に確保することができる杖先１及びこの杖先１を用いた杖５１を実現し提供することができる。
【００５４】
図５は本実施例１に係る杖先１の変形例である杖先１Ａを示すものである。同図に示す杖先１Ａは、基本的構成は実施例１に係る杖先１の場合と同様であるが、この杖先１Ａの五葉の花びら状の各脚片３の突出端辺３ａを二つの凹部を有する山形状としたことが特徴であり、この他の構造は実施例１に係る杖先１の場合と同様である。
【００５５】
この変形例の杖先１Ａを、例えば前記杖５１を構成する杖本体５２に取り付けた状態で使用者が前記握り部５３を片手で握り、杖先１Ａの滑り止めゴム材１５の下面を接地面に接触させたり離したりして歩行する場合においても、上述した実施例１の杖先１及び杖５１の場合と同様な作用、効果を発揮させることができる。
【００５６】
本実施例１に係る杖先１及び変形例である杖先１Ａは一本杖の他、多脚杖、ロフストランド杖、松葉杖、折り畳み杖等に適用できる。
【００５７】
（実施例２）
次に、図６乃至図９を参照して、本発明の実施例２に係る新規な杖先１Ｂについて説明する。なお、図６乃至図９に示す新規な杖先１Ｂにおいて、実施例１の新規な杖先１と同一の要素には同一の符号を付し、その詳細説明は省略する。
【００５８】
図６に示す本実施例２に係る杖先１Ｂは、実施例１の場合と同様、例えばＴ字杖のような一本杖形態の杖５１を構成する杖本体５２に取り付けて使用するものであり、中心部４から外方に向かって放射分散形状とした六脚の例えばヒトデ状で平面視略長方形状を呈する脚片３を有し、前記中心部４及び各脚片３に弾性作用を発揮する弾性構造部５を備えた全体として例えば平盤形態で、かつ、従来の杖の杖先よりも広面積の杖先本体２Ｂを具備している。
【００５９】
前記実施例１で説明したように、本発明においては、当該杖先本体２の形態は平盤形態に限定するものではなく、この他、例えば杖先本体２のほぼ中心部分を頂部として逆傘状とした形態として実施しても良い。
また、杖先本体２の中心部分を例えば外観視富士山形状のような上方に至るほど小さくなる山形状を呈する形態とすることもできる。
前記したように、前記弾性構造部５は、図示例に限定するものではなく、本発明においては、図示例の他、例えば単一層のゴム材構造、或いはゴム材とゴム材以外の他材との積層構造等々として実施しても良い。
【００６０】
この実施例２の杖先１Ｂを、例えば前記杖５１を構成する杖本体５２に取り付けた状態で使用者が前記握り部５３を片手で握り、杖先１Ｂの滑り止めゴム材１５の下面を接地面に接触させたり離したりして歩行する場合においても、上述した実施例１の新規な杖先１及び杖５１の場合と同様な作用、効果を発揮させることができる。
【００６１】
また、本実施例２に係る新規な杖先１Ｂの場合、六脚の平面視略長方形状を呈する脚片３を備えることから、特に新規な杖先１Ｂを地面等の接地面に接触させた際に、この接地面が傾いている場合においても、脚片３の数が六脚と多数であることから、すべりにくく、六脚の脚片３の滑り止めゴム材１５、ゴム材１４の個別的な弾性変形によりその傾きの影響をより効果的に抑制することが可能になり、歩行安定性が五脚の場合よりも更に優れるという利点がある。
【００６２】
本実施例２に係る新規な杖先１Ｂの場合、例えば，新規な杖先１Ｂの平面視最大寸法を図７に示すように１００ｍｍ又は略１００ｍｍとして、一本杖や松葉杖用として適用したり、杖先１Ｂの平面視最大寸法を図８に例示するように１４０ｍｍ又は略１４０ｍｍとして、ロフストランド杖用として適用したり、更には、杖先１Ｂの平面視最大寸法を図９に例示するように１８０ｍｍ又は略１８０ｍｍとして、四点杖若しくは三点杖用として適用したりとする応用が可能である。
【００６３】
図１０は本実施例２に係る新規な杖先１Ｂの変形例である新規な杖先１Ｃを示すものである。
同図に示す新規な杖先１Ｃは、基本的構成は実施例２に係る杖先１Ｂの場合と同様であるが、中心部４から外方に向かって放射分散形状とした五脚の例えばヒトデ状で平面視略先細長方形状を呈する脚片３を有し、前記中心部４及び各脚片３に弾性作用を発揮する弾性構造部５を備えた全体として例えば平盤形態で、かつ、従来の杖の杖先よりも広面積の杖先本体２Ｃを具備している。
杖先本体２の形態については、前記したように、本発明においては、当該杖先本体２の形態は平盤形態に限定するものではなく、この他、例えば杖先本体２のほぼ中心部分を頂部として逆傘状とした形態として実施しても良い。また、杖先本体２の中心部分を例えば外観視富士山形状のような上方に至るほど小さくなる山形状を呈する形態とすることもできる。
前記したように、前記弾性構造部５は、図示例に限定するものではなく、本発明においては、図示例の他、例えば単一層のゴム材構造、或いはゴム材とゴム材以外の他材との積層構造等々として実施しても良い。
なお、前記したように、杖先本体２と杖本体５２の先端部５２ａとの着脱構造は、本発明においては、図示例の他、杖本体５２の先端部５２ａにボルト部分を形成とし、杖先本体２内に当該ボルト部分のねじ込み又はねじ込み解除可能となるようなボルト挿通孔を設けて、杖先本体２と杖本体５２とを着脱可能に構成して実施するようにしても良い。
【００６４】
この変形例の新規な杖先１Ｃを、例えば前記杖５１を構成する杖本体５２に取り付けた状態で使用者が前記握り部５３を片手で握り、新規な杖先１Ｃの滑り止めゴム材１５の下面を接地面に接触させたり離したりして歩行する場合においても、上述した実施例２の新規な杖先１Ｂ及び杖５１の場合と同様な作用、効果を発揮させることができる。
本実施例２に係る杖先１Ｂ及び変形例である杖先１Ｃは、一本杖の他、多脚杖、ロフストランド杖、松葉杖、折り畳み杖等に適用できる。
【００６５】
（実施例３）
次に、図１１を参照して、本発明の実施例３に係る新規な杖先１Ｄについて説明する。
【００６６】
なお、図１１に示す新規な杖先１Ｄにおいて、実施例１の新規な杖先１と同一の要素には同一の符号を付し、その詳細説明は省略する。
【００６７】
図１１に示す本実施例３に係る新規な杖先１Ｄは、前記実施例１の場合と同様、例えばＴ字杖のような一本杖形態の杖５１を構成する杖本体５２に取り付けて使用するものであり、中心部４から外方に向かって放射分散形状で、かつ、偏在形態の五脚の例えば鳥足状で平面視略長方形状を呈する脚片３を有し、前記中心部４及び各脚片３に弾性作用を発揮する弾性構造部５を備えた全体として例えば平盤形態で、かつ、従来の杖の新規な杖先よりも広面積の新規な杖先本体２Ｄを具備している。
杖先本体２の形態については、前記したように、本発明においては、当該杖先本体２の形態は平盤形態に限定するものではなく、この他、例えば杖先本体２のほぼ中心部分を頂部として逆傘状とした形態として実施しても良い。また、杖先本体２の中心部分を例えば外観視富士山形状のような上方に至るほど小さくなる山形状を呈する形態とすることもできる。
前記したように、前記弾性構造部５は、図示例に限定するものではなく、本発明においては、図示例の他、例えば単一層のゴム材構造、或いはゴム材とゴム材以外の他材との積層構造等々として実施しても良い。
なお、前記したように、杖先本体２と杖本体５２の先端部５２ａとの着脱構造は、本発明においては、図示例の他、杖本体５２の先端部５２ａにボルト部分を形成とし、杖先本体２内に当該ボルト部分のねじ込み又はねじ込み解除可能となるようなボルト挿通孔を設けて、杖先本体２と杖本体５２とを着脱可能に構成して実施するようにしても良い。
【００６８】
本実施例３においては、前記五脚の各脚片３のうち、四脚は図１１に示すように中心から片側（図１１において上側）に偏った配置とし、残る一脚は中心から下側に突出する偏在形態を採用している。
【００６９】
この実施例３の新規な杖先１Ｄを、例えば前記杖５１を構成する杖本体５２に取り付けた状態で使用者が前記握り部５３を片手で握り、杖先１Ｄの滑り止めゴム材１５の下面を接地面に接触させたり離したりして歩行する場合においても、上述した実施例１の杖先１及び杖５１の場合と略同様な作用、効果を発揮させることができ、また、五脚の各脚片３を偏在させ歩行安定性をやや不安定とした構造としていることから、後述するようなリハビリテーション時に使用して好適なものとなる。
【００７０】
本実施例３に係る新規な杖先１Ｄは、一本杖の他、多脚杖、ロフストランド杖、松葉杖、折り畳み杖等に適用できる。
【００７１】
（実施例４）
次に、図１２を参照して、本発明の実施例４に係る新規な杖先１Ｅについて説明する。
なお、図１２に示す新規な杖先１Ｅにおいて、実施例１の新規な杖先１と同一の要素には同一の符号を付し、その詳細説明は省略する。
【００７２】
図１２に示す本実施例４に係る新規な杖先１Ｅは、前記実施例１の場合と同様、例えばＴ字杖のような一本杖形態の杖５１を構成する杖本体５２に取り付けて使用するものであり、中心部４から外方に向かって放射分散形状で、かつ、同一長さの五脚の長脚片１７と当該長脚片１７の長さよりも短く形成してなる一脚の短脚片１８を具備した六脚形態の各脚片を有し、前記中心部４及び各脚片に弾性作用を発揮する弾性構造部５を備えた全体として例えば平盤形態で、かつ、従来の杖の新規な杖先よりも広面積の新規な杖先本体２Ｅを具備している。
杖先本体２の形態については、前記したように、本発明においては、当該杖先本体２の形態は平盤形態に限定するものではなく、この他、例えば杖先本体２のほぼ中心部分を頂部として逆傘状とした形態として実施しても良い。また、杖先本体２の中心部分を例えば外観視富士山形状のような上方に至るほど小さくなる山形状を呈する形態とすることもできる。
前記したように、前記弾性構造部５は、図示例に限定するものではなく、本発明においては、図示例の他、例えば単一層のゴム材構造、或いはゴム材とゴム材以外の他材との積層構造等々として実施しても良い。
なお、前記したように、杖先本体２と杖本体５２の先端部５２ａとの着脱構造は、本発明においては、図示例の他、杖本体５２の先端部５２ａにボルト部分を形成とし、杖先本体２内に当該ボルト部分のねじ込み又はねじ込み解除可能となるようなボルト挿通孔を設けて、杖先本体２と杖本体５２とを着脱可能に構成して実施するようにしても良い。
【００７３】
この実施例４の新規な杖先１Ｅを、例えば前記杖５１を構成する杖本体５２に取り付けた状態で使用者が前記握り部５３を片手で握り、杖先１Ｅの滑り止めゴム材１５の下面を接地面に接触させたり離したりして歩行する場合においても、上述した実施例１の杖先１及び杖５１の場合と略同様な作用、効果を発揮させることができ、また、六脚の各脚片を偏在させ歩行安定性をやや不安定とした構造としていることから、後述するようなリハビリテーション時に使用して好適なものとなる。
この場合、同一長さの五脚の長脚片１７と当該長脚片１７の長さよりも短く形成してなる短脚片１８とを具備した六脚形態の脚片構成としているので、使用に際し、当該短脚片１８を進行方向とは逆の方向に位置させて杖を用いると、歩行安定性が一層増すことになる。
【００７４】
本実施例４に係る新規な杖先１Ｅは、一本杖の他、多脚杖、ロフストランド杖、松葉杖、折り畳み杖等に適用できる。
本実施例４に係る新規な杖先１Ｅの場合、これを松葉杖に用いる際には、例えば、新規な杖先１Ｅの平面視最大寸法を１４０ｍｍ、ロフストランド杖に用いる際には例えば１４０ｍｍ、多脚杖に用いる際には例えば１８０ｍｍとすると好都合である。
【００７５】
次に、上述した本発明の実施例１〜４に係る新規な杖先１Ａ〜１Ｅについての具体的使用形態について説明する。
【００７６】
使用者が前記新規な杖先１Ａ〜１Ｅのうちのいずれかを、前記杖５１を構成する杖本体５２に取り付けた状態で前記握り部５３を片手で握り歩行する場合において、前記杖先１Ａ〜１Ｅはいずれも杖本体５２に容易に着脱できることから、使用者が例えば腕力や握力の弱い高齢者又は足が不自由な身体障害者等である場合、歩行安定性が五脚の場合よりも更に優れる実施例２の杖先１Ｂを選定し使用することにより、当該高齢者又は身体障害者等の好適な歩行環境を実現することができる。
【００７７】
また、怪我等により一時的に歩行困難になった使用者が、その怪我の回復の程度に応じて、例えば最初は実施例２の各脚片３を偏在させ歩行安定性をやや不安定とした構造の杖先１Ｂを選定し使用するとともに、少し回復した後には、例えば実施例３の杖先１Ｄや１Ｅを選定し使用することにより、当該使用者の体力の回復に応じたリハビリテーションを好適に実行できるという利点がある。
【００７８】
（実施例５）
次に、図１３乃至図１６を参照して、本発明の実施例５に係る新規な杖先１Ｆ及び杖８１について説明する。
【００７９】
本実施例５に係る新規な杖先１Ｆは前記実施例１の場合と同様、例えば図１６に示すように、Ｔ字杖のような一本杖形態の杖８１を構成する杖本体８２に取り付けて使用するものである。
【００８０】
前記杖８１は、杖本体８２の上端部に使用者が手で握るための握り部８３を備えるとともに、杖本体８２を構成する例えばステンレス材を用いた円筒状の柄部８４を具備している。
【００８１】
前記杖先１Ｆを取り付けた状態の杖８１の全長は、前記実施例１の場合と同様、例えば７００〜８００ｍｍの例を挙げることができる。
【００８２】
本実施例５に係る杖先１Ｆは、図１３乃至図１５に示すように、杖８１の杖本体８２の先端部８２ａを装着する杖装着筒部７１と、この杖装着筒部７１の下部に一体に設けられ、平坦に形成した底面７２ａを地面等の接地面に接触させる従来例より広い面積を有する接地体部７２とを有している。
【００８３】
前記杖装着筒部７１、接地体部７２の一体構成からなる杖先１Ｆは、実施例１の場合と同様なウレタン樹脂からなる被覆層で覆われた例えば集成材からなる板状の木材、板状のグラスカーボンと、板状の高圧ゴムからなるゴム材等の積層構造の他、たとえば、単一層のゴム材構造、ゴム材とゴム材以外の他材との積層構造等として構成するものである。
【００８４】
前記杖装着筒部７１は、例えば外観視富士山形状のような上方に至るほど縮径する山形状を呈するように構成され、その上端中央から下方に向けて杖本体８２の先端部８２ａを嵌着し固定するための有底の杖受孔部７３を設けている。
【００８５】
また、杖受孔部７３の底面には、図１４にクロス斜線を付して示すように、例えばアルラ材等からなる補強円板７４を配置し、杖本体８２の先端部８２ａの端面に当接させるように構成している。
【００８６】
前記接地体部７２は、杖装着筒部７１と一体で、図１３に側面外観形状を示すように、側面から視認した場合、底面７２ａが平坦で全体として略靴型形状を呈するように構成している。
【００８７】
前記接地体部７２と一体の杖装着筒部７１の前記接地体部７２に対する配置は、杖先１Ｆの全体形状の中心部ではなく、一方に偏った位置としている。
【００８８】
すなわち、図１３において、杖先１Ｆの左側を後部、杖先１Ｆの右側を前部と定義するとき、杖装着筒部７１の杖受孔部７３の中心部が前記接地体部７２に対して後部側に偏った配置としている。
【００８９】
更に、前記接地体部７２は、その外周部に合計５個構成の脚片群を分散配置に突出させた構造としている。
【００９０】
すなわち、脚片群は、図１４に示すように、杖装着筒部７１よりも後部側に突出させたあたかも靴のかかと部分のような形態の後部脚片７５、杖装着筒部７１から両側方に突出させた２個の側部脚片７６ａ、７６ｂ及び杖装着筒部７１より前部側で斜め左前方及び斜め右前方に突出させた２個の斜脚片７７ａ、７７ｂからなり、杖先１Ｆを上方から視認した場合、各脚片が偏在したヒトデ状又は各脚片が偏在した鳥足状のような形状を呈するように構成している。これら脚片は、突出端領域を曲面状に形成し、かつ、隣り合う脚片が滑らかに連なる曲面を持って連設している。
【００９１】
前記後部脚片７５の後端部には、図１５に示すように、部分的に曲面部７５ａが形成され、この曲面部７５ａに対して、例えば３条の滑り止め用の円弧状の凹溝７５ｂを間隔をもって形成している。また、２個の側部脚片７６ａ、７６ｂの底面にも例えば２条の滑り止め用の円弧状の凹溝７６ｃ、７６ｄを間隔をもって形成している。
【００９２】
更に、２個の斜脚片７７ａ、７７ｂの底面にも、例えば２条の滑り止め用の円弧状の凹溝７７ｃ、７７ｄを間隔をもって形成している。
【００９３】
前記前記接地体部７２の底面には、前記杖装着筒部７１の直下に位置する配置で、かつ、前記杖装着筒部７１の最深部までは到達しない範囲の深さで、かつ、底面から視認した場合例えば変形楕円形状を呈する吸盤作用を発揮する凹陥部７８を設けている。
【００９４】
この凹陥部７８の内底部には、図１５にクロス斜線を付して示すように、例えばアルラ材等からなる補強材７９を張設している。
【００９５】
このような前記接地体部７２の底面の構造により、前記凹溝７５ｂ、凹溝７６ｃ、７６ｄ及び凹溝７６ｃ、７６ｄによって、前記凹陥部７８を不連続状態ではあるが取り囲む形態としている。
【００９６】
次に、本実施例５に係る新規な杖先１Ｆ及び杖８１の作用、効果について説明する。
【００９７】
本実施例５に係る杖先１Ｆによれば、例えば前記杖８１を構成する杖本体８２に取り付けた状態で使用者が前記握り部８３を片手で握り、杖先１Ｆにおける接地体部７２の底面７２ａを接地面に接触させたり離したりして歩行するとき、例えばゴム材構造からなる接地体部７２の底面７２ａ全体が接地面と接触するので、雨天の路面等の悪条件でも滑りにくく、杖先１Ｆを地面等に接触させた場合の衝撃吸収性に優れ、また、杖先１Ｆの底面部分が従来例に比べ広面積を有するので、使用者が高齢者のような場合でも歩行安定性を確実に確保できる。
【００９８】
特に、本実施例５に係る杖先１Ｆを装着した杖８１の場合、接地体部７２にあたかも靴のかかと部分に相当する位置に設けた後部脚片７５に滑り止め用の円弧状の凹溝７５ｂを形成しているので、使用者が杖８１を使用して杖先１Ｆの後部脚片７５を最初に接地面に接地させて歩行するとき、例えば柔らかい接地面である場合には前記凹溝７５ｂが接地面に食い込み、効果的に滑り止め効果を発揮させることができる。
【００９９】
また、雨天等気象条件が良好でない場合に使用者が前記握り部８３を片手で握り、走行するような場合でも、前記凹溝７５ｂにより接地面との接触摩擦を高めることができ、使用者の歩行安定性を高めることができる。
【０１００】
前記２個の側部脚片７６ａ、７６ｂに設けた凹溝７６ｃ、７６ｄや、前記２個の斜脚片７７ａ、７７ｂに設けた凹溝７７ｃ、７７ｄも、前記後部脚片７５の凹溝７５ｂと同様に接地面に対する滑り止め効果や接地面との接触摩擦を高める発揮し、これにより、使用者の歩行安定性をより高めることができる。
【０１０１】
更に、本実施例５に係る杖先１Ｆを装着した杖８１の場合、接地体部７２の底面に凹陥部７８を設けているので、例えば接地面が平滑な面であるような場合、前記凹陥部７８の回りの底面７２ａが平滑な接地面に密接したとき、吸盤と同様な機能を発揮させることができ、これにより、使用者の歩行安定性をより向上させることができる。
【０１０２】
すなわち、本実施例５によれば、滑りにくく、地面等に接触させた場合の衝撃吸収性に優れ、杖先１Ｆの底面部分に設けた各凹溝７５ａ、凹溝７６ｃ、７６ｄ、凹溝７７ｃ、７７ｄにより接地面に対する滑り止め効果を発揮させることができ、更に、接地体部７２の底部に設けた凹陥部７８により、吸盤と同様な機能を発揮させることができ、高齢者のような使用者の歩行安定性を十分に確保することができる新規な杖先１Ｆ及びこの杖先１Ｆを用いた新規な杖８１を実現し提供することができる。
【産業上の利用可能性】
【０１０３】
本発明に係る新規な杖先は、一本杖、多脚杖、ロフストランド杖、松葉杖、折り畳み杖等、各種形態の杖先として広範に適用可能である。
【符号の説明】
【０１０４】
１    杖先
１Ａ  杖先
１Ｂ  杖先
１Ｃ  杖先
１Ｄ  杖先
１Ｅ  杖先
１Ｆ  杖先
２    杖先本体
２Ｂ  杖先本体
２Ｃ  杖先本体
２Ｄ  杖先本体
２Ｅ  杖先本体
３    脚片
３ａ  突出端辺
４    中心部
５    弾性構造部
６    ボルト
６ａ  ねじ部
７    ボルト挿通孔
８    取り付け部
９    平ワッシャー
１１    被覆層
１２    木材
１３    グラスカーボン
１４    ゴム材
１５    滑り止めゴム材
１６    凹凸部
１７    長脚片
１８    短脚片
５１    杖
５２    杖本体
５２ａ  先端部
５３    握り部
５４    柄部
６１    受けねじ体
６２    筒体
６３    ナット
７１    杖装着筒部
７２    接地体部
７２ａ  底面
７３    杖受孔部
７４    補強円板
７５    後部脚片
７５ａ  曲面部
７６ａ  側部脚片
７６ｂ  側部脚片
７６ｃ  凹溝
７６ｄ  凹溝
７７ａ  斜脚片
７７ｂ  斜脚片
７７ｃ  凹溝
７７ｄ  凹溝
７８    凹陥部
７９    補強材
８１    杖
８２    杖本体
８２ａ  先端部
８３    握り部
８４    柄部
【図１】
2013048880.tif 000003
【図２】
2013048880.tif 000004
【図３】
2013048880.tif 000005
【図４】
2013048880.tif 000006
【図５】
2013048880.tif 000007
【図６】
2013048880.tif 000008
【図７】
2013048880.tif 000009
【図８】
2013048880.tif 000010
【図９】
2013048880.tif 000011
【図１０】
2013048880.tif 000012
【図１１】
2013048880.tif 000013
【図１２】
2013048880.tif 000014
【図１３】
2013048880.tif 000015
【図１４】
2013048880.tif 000016
【図１５】
2013048880.tif 000017
【図１６】
2013048880.tif 000018